(57)【要約】【課題】  履物収納箱内に着脱自在に配設することができると共に、ブーツを逆さ状態にして簡単且つ確実に吊支することができ、また、不使用時には履物収納箱から取り外して履物収納箱内の空間部の有効利用を図ることができるブーツ収納装置を提供する。【解決手段】  前方に向かって開口した平面Ｕ字状のハンガー主体２に後方に向かって取付部材４を突設してなるブーツ用ハンガー１と、履物収納箱Ａの両側板の上部における後端部対向面に着脱自在に取付ける両側取付板12、12’と、これらの両側取付板12、12’の対向面間を連結する互いに平行な前後水平横棒13、14とからなるハンガー支持具11とを備え、上記ハンガー主体２にブーツＢを逆さ状態にして吊支すると共に取付部材４の後端部を前後水平横棒13、14に着脱自在に且つこれらの横棒の長さ方向に沿って移動可能に係止させている。【選択図】    図１
2013226228.tif 000002
【特許請求の範囲】
【請求項１】
ブーツ用ハンガーとこのブーツ用ハンガーの支持具とを備え、ブーツ用ハンガーの支持具は、履物収納箱の両側板における対向内側面の後端部にそれぞれ取り付ける両側取付板と、この両側取付板の対向内側面における前端部間と後端部間とを連結している前側水平横棒と後側水平横棒とからなり、ブーツ用ハンガーは、逆さにしたブーツの足首部を挟持する左右挟持杆を有し、且つ、先端が前方に向けて開口している平面Ｕ字状のハンガー主体と、このハンガー主体の基端に後方に向かって突設し、上記支持具の前後水平横棒に左右方向に摺動移動可能に係止させる取付部材とからなることを特徴とする履物収納箱におけるブーツ収納装置。
【請求項２】
ハンガー主体の基端から後方に突設している取付部材は、小間隔を存して並設した２本の水平取付杆からなり、この水平取付杆の後端部を上方に屈曲して上記ハンガー支持具の後側水平横棒の下側から係止させる係止突片に形成していると共にこの係止突片から小間隔を存した水平取付杆の後端部上面間に上記ブーツ用ハンガーの支持具における後側水平横棒に摺動自在に当接する振れ止め片を固着してなることを特徴とする請求項１に記載の履物収納箱におけるブーツ収納装置。
【請求項３】
ハンガー支持具における前側水平横棒を後側水平横棒よりも上記ハンガー主体の水平取付杆の太さに相当する寸法だけ、下方に段違い状に設けられていてハンガー主体の水平取付杆の後部を前側水平横棒上に支持させる一方、後端部上面を後側水平横棒の下面に受止させるように構成していることを特徴とする請求項１又は請求項２に記載の履物収納箱におけるブーツ収納装置。
【請求項４】
ハンガー支持具における両側取付板に、履物収納箱の両側板の後端部に上下方向に一定間隔毎に穿設している取付用ダボ穴と同一間隔を存して上下一対の取付孔を穿設してあり、この取付孔を上記ダボ穴に重ね合わせて短軸体により両側取付板を両側板の後端部内側面に着脱自在に固定するように構成していることを特徴とする履物収納箱におけるブーツ収納装置。
【請求項５】
ハンガー支持具における両側取付板の一方の内側面に、前後水平横棒の一端を固着させてあり、他方の内側面にこれらの前後水平横棒を伸縮自在に挿嵌させる支持筒体を固着していることを特徴とする請求項１又は請求項４に記載の履物収納箱におけるブーツ収納装置。
【発明の詳細な説明】
【技術分野】
【０００１】
本発明は、ロングブーツやセミロングブーツのように筒状の胴部が比較的長いブーツの収納に適した履物収納箱におけるブーツ収納装置に関する。
【背景技術】
【０００２】
従来から、胴部の長いブーツを通常の靴と同様にそのまま下駄箱内に収納すると、胴部が折れ曲がって傷める虞れがあると共に内部を乾燥させることが困難となるので、靴底が上側となるようにブーツを逆さにして吊支することができるようにしたブーツ用ハンガーが開発されている。
【０００３】
この種のブーツ用ハンガーとしては、例えば、特許文献１に記載されているように、ブーツの甲部分を支持する棒状の甲係止部材と、ブーツの踵部を支持する棒状の踵係止部材とを前後に一定間隔を存して並設すると共にこれらの甲係止部材と踵係止部材との両端を互いに平行に対向した左右スライド部材の前後部にそれぞれ一体に固着し、この左右スライド部材を下駄箱の左右両側板部の対向内側面に前後方向に向けて水平に取付けているガイドレールに前後摺動自在に支持させてなる構造を有するものが知られている。
【０００４】
このように構成したブーツ用ハンガーは、使用に際して、前後に甲係止部材と踵係止部材とを一体に設けている左右スライド部材をガイドレールに沿って下駄箱から引き出し、ブーツを逆さにして甲係止部材と踵係止部材との間の空間部に上方からその筒状の胴部を挿入し、下向きにした甲部と踵部とを上記甲係止部材と踵係止部材とに架設状態に支持させている。
【０００５】
一方、特許文献２には、前方に開口部を設けた平面馬蹄形状のブーツ保持用リングを一対、左右に並べて対向する内側面間を連結部材により一体に連結していると共に、これらの左右ブーツ保持用リングの外側面にＬ字状に屈折した固定片を固着して、この固定片を下駄箱内に立設した左右仕切板の対向面に当接してねじ等により固着してなる構造のブーツ収納部が開示されている。
【０００６】
このように構成したブーツ収納部によれば、平面馬蹄形状に形成している左右一対のブーツ保持用リングの開口部が前方に向けられているので、この開口部から逆さにしたブーツをリング内に挿入することによりリングに吊り下げて保持させることができる。
【先行技術文献】
【特許文献】
【０００７】
【特許文献１】特開２００８−２１２５９０号公報
【特許文献２】特公昭６１−４２４３号公報
【発明の開示】
【発明が解決しようとする課題】
【０００８】
しかしながら、前者のブーツ用ハンガーによれば、ブーツを上方からハンガーに挿入して支持させるように構成しているので、下駄箱内へのブーツの収納時には、その都度、下駄箱からハンガー全体を外部に引き出さねばならず、ブーツの収納に手間取る上に、ブーツの甲部と踵部とを甲係止部材と踵係止部材とに支持させるものであるから、甲部側に対して踵部側が踵係止部材の長さ方向に不測に移動すると、踵部が踵係止部材からの係止が解かれてブーツがハンガーから脱落する事態が発生することになり、安定した支持を得ることができない。
【０００９】
そのため、ブーツの足首部分を両側から紐状物からなる補助係止部材を挟持するように構成しているが、そうすると、ハンガーに対するブーツの支持やハンガーからのブーツの取り出しが容易に行うことができなくなるといった問題が生じる。
【００１０】
これに対して、後者のブーツ収納部の構造によれば、前方に開口部を有する平面馬蹄形状のブーツ保持用リングを下駄箱内に配設しているので、このブーツ保持用リングを下駄箱から引き出すことなくブーツを上下に反転させて逆さにした状態で開口部からリング内に挿入することにより容易にブーツをリングに吊り下げて保持させることができるが、このブーツ保持用リングを備えたブーツ収納部を下駄箱内に設けるには、一対のブーツ保持用リングを連結部材によって一体に連結すると共に、連結したブーツ保持用リングの外側部に固定片を取付けてこの固定片を下駄箱内に立設した左右仕切板の対向面にねじ等によって固着しなければならず、下駄箱内へのブーツ保持用リングの配設が煩わしい上に、下駄箱内に左右仕切板を立設してこれらの仕切板の対向面に左右一対のブーツ保持用リングを固定片を介してねじ等により固着するものであるから、ブーツ保持用リングが不要となった場合でも簡単に撤去することができず、また、下駄箱内で左右に移動することもできないため、他の履物等の収納の邪魔になるといった問題点がある。
【００１１】
本発明はこのような問題点に鑑みてなされたもので、その目的とするところは、構造が簡単で多量生産に適し、安価に提供できるのは勿論、履物収納箱内への配設が簡単に行えると共に履物収納箱外に取り出すことなく容易にブーツを逆さにした状態で吊支することができ、さらに、履物収納箱内でのブーツ吊支位置を左右方向に自由に移動させることができると共に不使用時には履物収納箱から簡単に撤去することができて履物収納箱内の空間の有効活用を図ることができる履物収納箱におけるブーツ収納装置を提供するにある。
【課題を解決するための手段】
【００１２】
上記目的を達成するために、本発明の履物収納箱におけるブーツ収納装置は、請求項１に記載したように、ブーツ用ハンガーとこのブーツ用ハンガーの支持具とを備え、ブーツ用ハンガーの支持具は、履物収納箱の両側板における対向内側面の後端部にそれぞれ取り付ける両側取付板と、この両側取付板の対向内側面における前端部間と後端部間とを連結している前側水平横棒と後側水平横棒とからなり、ブーツ用ハンガーは、逆さにしたブーツの足首部を挟持する左右挟持杆を有し、且つ、先端が前方に向けて開口している平面Ｕ字状のハンガー主体と、このハンガー主体の基端に後方に向かって突設し、上記支持具の前後水平横棒に左右方向に摺動移動可能に係止させる取付部材とからなることを特徴とする。
【００１３】
このように構成した履物収納箱におけるブーツ収納装置において、請求項２に係る発明は、ハンガー主体の基端から後方に突設している取付部材は、小間隔を存して並設した２本の水平取付杆からなり、この水平取付杆の後端部を上方に屈曲して上記ハンガー支持具の後側水平横棒の下側から係止させる係止突片に形成していると共にこの係止突片から小間隔を存した水平取付杆の後端部上面間に上記ブーツ用ハンガーの支持具における後側水平横棒に摺動自在に当接する振れ止め片を固着してなることを特徴とする。
【００１４】
また、請求項３に係る発明は、ハンガー支持具における前側水平横棒を後側水平横棒よりも上記ハンガー主体の水平取付杆の太さに相当する寸法だけ、下方に段違い状に設けられていてハンガー主体の水平取付杆の後部を前側水平横棒上に支持させる一方、後端部上面を後側水平横棒の下面に受止させるように構成していることを特徴とする。
【００１５】
さらに、請求項４に係る発明は、ハンガー支持具における両側取付板に、履物収納箱の両側板の後端部に上下方向に一定間隔毎に穿設している取付用ダボ穴と同一間隔を存して上下一対の取付孔を穿設してあり、この取付孔を上記ダボ穴に重ね合わせて短軸体により両側取付板を両側板の後端部内側面に着脱自在に固定するように構成していることを特徴とする。
【００１６】
請求項５に係る発明は、ハンガー支持具における両側取付板の一方の内側面に、前後水平横棒の一端を固着させてあり、他方の内側面にこれらの前後水平横棒を伸縮自在に挿嵌させる支持筒体を固着していることを特徴とする。
【発明の効果】
【００１７】
請求項１に係る発明によれば、履物収納箱内に配設されるブーツ収納装置はブーツハンガーとこのハンガーの支持具とを備え、ハンガーの支持具は収納箱の両側板における対向内側面の後端部にそれぞれ取り付ける両側取付板と、この両側取付板の対向内側面における前端部間と後端部間とを連結している前側水平横棒と後側水平横棒とからなり、ブーツ用ハンガーは逆さにしたブーツの足首部を挟持する左右挟持杆を有し、且つ、先端が前方に向けて開口している平面Ｕ字状のハンガー主体と、このハンガー主体の基端に後方に向かって突設し、上記支持具の前後水平横棒に左右方向に摺動移動可能に係止させる取付部材とからなるので、既存の履物収納箱であってもその前半部にブーツが収納可能な空間部があれば、履物収納箱の後端部における対向内側面間に上記ブーツ用ハンガーの支持具を取付け、この支持具の前後水平横棒にハンガー主体から後方に突設している取付部材を支持させれば、履物収納箱内にブーツ用ハンガーを簡単に配設することができると共に２本のブーツ用ハンガーを一組として複数組のブーツ用ハンガーを支持具に並列状態に配設することができ、従って、複数対のブーツを吊支することができるばかりでなくハンガー主体に吊支されるブーツの後方におけるブーツ用ハンガーの支持具下方の履物収納箱内の空間部をそのまま靴やサンダル等の履物の収納空間部として活用することができる。
【００１８】
さらに、ブーツ用ハンガーの本体は、左右挟持杆の先端間が前方に向けて開口している平面Ｕ字状に形成されているので、履物収納箱内から取り出すことなく、ブーツを逆さに反転した状態にして前方に向けている左右挟持杆の先端間の開口部を通じて本体内に挿入することにより、これらの挟持杆によって簡単にブーツの足首部を両側から挟持させることができ、ブーツの筒状胴部を真っ直ぐに垂下させた安定した状態で吊支しておくことができる。また、ブーツ用ハンガーは、ハンガー主体の基端に、履物収納箱の両側板の後端部における対向内側面間に装着した上記ハンガー支持具の前後水平横棒に係止させる取付部材を突設しているので、この取付部材をハンガー支持具から取り外すことによって履物収納箱外に簡単に取り出すことができ、外部においてこのブーツ用ハンガーにブーツを吊支させたのち、履物収納箱内に戻してハンガー支持具の所望部分に支持させることができる。
【００１９】
その上、ブーツ用ハンガーは、ハンガー主体から後方に突設している上記取付部材を、上記支持具の前後水平横棒に左右方向に単独的に摺動移動可能に係止させているので、所望のブーツ用ハンガーを支持具の前後水平横棒に沿って左右方向にスライドさせることにより、ブーツの吊支位置等を綺麗に整頓することができる。
【００２０】
また、履物収納箱内に配設される本発明のブーツ収納装置は、上記のように構成したブーツハンガーとこのハンガーの支持具とからなるので、構造が簡単で多量生産に適すると共に、不使用時には、履物収納箱から簡単に撤去することができて履物収納箱内の空間の有効活用を図ることができると共に、ハンガーの支持具を履物収納箱の後端部内に残しておいて、この支持具を履物棚の支持具として使用することも可能となる。
【００２１】
請求項２に係る発明によれば、ブーツ用ハンガーにおけるハンガー主体の基端から後方に突設している取付部材は小間隔を存して並設した２本の水平取付杆からなり、この水平取付杆の後端部を上方に屈曲して上記ハンガー支持具の後側水平横棒の下側から係止させる係止突片に形成しているので、ハンガー支持具に対するブーツ用ハンガーの取付け、取り外し操作がワンタッチで行えると共に２本の水平取付杆によってハンガー主体を確実に水平状に保持しておくことができ、ブーツを安定した状態で吊支しておくことができる。さらに、上記係止突片から小間隔を存した水平取付杆の後端部上面間にブーツ用ハンガーの支持具における後側水平横棒に摺動自在に当接する振れ止め片を固着しているので、ハンガー主体を左右方向に揺動させることなく、前後方向に正確に向けた状態となるように支持具の後側水平横棒に支持させることができると共に、この振れ止め片を後側水平横棒に摺接させながら、ブーツ用ハンガーを前後水平横棒の長さ方向に沿って左右方向に容易に移動させることができる。
【００２２】
請求項３に係る発明によれば、ハンガー支持具における前側水平横棒を後側水平横棒よりも上記ハンガー主体の水平取付杆の太さに相当する寸法だけ、下方に段違い状に設けられていてハンガー主体の水平取付杆の後部を前側水平横棒上に支持させる一方、後端部上面を後側水平横棒の下面に受止させるように構成しているので、ハンガー主体から後方に突設している両側水平取付杆に段部などを形成することなく支持具の前後水平横棒に対してハンガー主体を前方に向かって水平状に正確に支持させることができる。
【００２３】
請求項４に係る発明によれば、ハンガー支持具における両側取付板に、履物収納箱の両側板の後端部に上下方向に一定間隔毎に穿設している取付用ダボ穴と同一間隔を存して上下一対の取付孔を穿設してあり、この取付孔を上記ダボ穴に重ね合わせて短軸体により両側取付板を両側板の後端部内側面に着脱自在に固定するように構成しているので、既存の履物収納箱であっても、その両側板の後端部に棚板取付け用ダボ孔を設けていれば、このダボ孔を利用してハンガー支持具の両側取付板を簡単に取付けることができる。
【００２４】
請求項５に係る発明によれば、ハンガー支持具における両側取付板の一方の内側面に、前後水平横棒の一端を固着させてあり、他方の内側面にこれらの前後水平横棒を伸縮自在に挿嵌させる支持筒体を固着しているので、横幅の異なる履物収納箱であっても、その幅に応じて前後水平横棒を伸縮させて履物収納箱の両側板の対向する内側面間にハンガー支持具を配設することができ、横幅の異なる種々の履物収納箱に本発明のブーツ収納部を設けることができる。
【図面の簡単な説明】
【００２５】
【図１】本発明ブーツ収納装置を設けた履物収納箱の内部構造を示す簡略斜視図。
【図２】ブーツを吊支している部分の側面図。
【図３】ブーツ用ハンガーの斜視図。
【図４】ハンガー支持具の斜視図。
【図５】ハンガー支持具に対するブーツ用ハンガーの取付態様を示す斜視図。
【発明を実施するための形態】
【００２６】
本発明の具体的な実施の形態を図面に基づいて説明すると図１、図２において、履物収納箱Ａ内に配設するブーツ収納装置は、ブーツＢを逆さ状態にして吊支するブーツ用ハンガー１と、このブーツ用ハンガー１を着脱自在に支持するハンガー支持具11とからなる。    
【００２７】
ブーツ用ハンガー１は、図３、図５に示すように、ブーツＢの筒状胴部B1の径よりも小さい幅間隔を存して互いに平行に配設した一定長さの左右挟持杆2a、2aの基端間を円弧状に湾曲した連結杆部2bによって一体に連設して先端が前方に向かって開口３している平面Ｕ字状のハンガー主体２と、このハンガー主体２の上記連結杆部2bの中央部に後方に向かって突設した取付部材４とからなり、ハンガー主体２は履物収納箱Ａの前半部内に前後方向に向けて配設可能な長さを有し、取付部材４は履物収納箱Ａの後半部内に配設可能な長さを有している。
【００２８】
ハンガー主体２の基端連結杆部2bから後方に突設している上記取付部材４は、ハンガー主体２と略同一長さを有する２本の水平取付杆4a、4aを小間隔を存して並設してこれらの水平取付杆4a、4aの前端を連結杆部2bに一体に固着してなり、これらの水平取付杆4a、4aの後端部を上方に屈曲させて上記ハンガー支持具11における後述する後側水平横棒14に下側から係止させる係止突片５に形成していると共に、この係止突片５から前方側に上記後側水平横棒14の径に略等しい小間隔を存して水平取付杆4a、4aの後端部上面間に後側水平横棒14の前側周面部に摺動自在に当接する振れ止め片６を固着している。なお、ハンガー主体２及び取付部材４は、一定長さを有する金属製棒状体を屈曲することによって形成しているが、樹脂成形品であってもよい。
【００２９】
一方、上記ブーツ用ハンガーの支持具11は履物収納箱Ａの両側板A1、A1における対向する内側面の後端部にそれぞれ着脱自在に取り付けられる矩形状の両側取付板12、12’と、これらの両側取付板12、12’の対向内側面における前端部間と後端部間とをそれぞれ連結している前側水平横棒13と後側水平横棒14とからなり、これらの前後水平横棒13、14は前後に小間隔を存して平行に配設されていると共に、前側水平横棒13を後側水平横棒14よりも上記ハンガー主体２の水平取付杆4a、4aの太さに相当する寸法だけ、下方に段違い状に設けられている。
【００３０】
さらに、前後水平横棒13、14の長さは履物収納箱Ａの横幅よりも短い長さに形成されていると共に、その一端を上記両側取付板12、12’における一方の取付板12に固着させてあり、他端部は、他方の取付板12’の内側面における前後部にその基端部を固着させて一方の取付板12に向かって突設している適宜長さを有する前後支持筒体15、16にそれぞれ伸縮自在に挿入、支持させてあり、履物収納箱Ａの横幅寸法に応じてその長さを調整可能に構成されている。
【００３１】
両側取付板12、12’の前後幅方向の中央部には、履物収納箱Ａの両側板A1、A1の後端部に上下方向に一定間隔毎に穿設している取付用ダボ孔ａ、ａ・・・ａと上下方向に同一間隔を存して上下一対の取付孔17、17’を穿設してあり、これらの取付孔17、17’を履物収納箱Ａの両側板A1、A1の後端部における上部側の上下に隣接する二つのダボ孔ａ、ａにそれぞれ重ね合わせて短軸体18、18を取付孔17、17’からダボ孔ａ、ａに挿嵌させることにより、両側取付板12、12’を履物収納箱Ａの両側板A1、A1の上部における後端部内側面に当接状態で取り外し可能に固定している。
【００３２】
この際、一方の取付板12に一端を固着させている前後水平横棒13、14の他端部を他方の12’に固着している前後支持筒体15、16に深く挿入して両側取付板12、12’間の長さを履物収納箱Ａの両側板A1、A1の対向内側面間の幅よりも短くし、この状態にしてブーツ用ハンガーの支持具11を履物収納箱Ａ内に挿入したのち、前後水平横棒13、14を伸長させて両側取付板12、12’を履物収納箱Ａの両側板A1、A1の上部における後端部内側面にそれぞれ当接させ、しかるのち、上述したように、短軸体18、18を取付孔17、17’からダボ孔ａ、ａに挿嵌させることに固定している。なお、ブーツ用ハンガーの支持具11における両側取付板12、12’と前後水平横棒13、14とは金属製であるが、樹脂成形品であってもよい。さらに、前後水平横棒13、14は管材によって形成しておいてよい。
【００３３】
履物収納箱Ａの構造は、背板A2とこの背板A2の両側端から前方に突設している上記両側板A1、A1と、天板A3と底板A4とを組み合わせてなり、その前端開口部に扉体A5を開閉自在に設けている。この履物収納箱Ａ内の上部における後端部側に上記ブーツ用ハンガーの支持具11における両側取付板12、12’が履物収納箱Ａの両側板A1、A1の対向する内側面に上記のように取付られてあり、このブーツ用ハンガーの支持具11から上方側の履物収納箱Ａ内の上側空間部には、ブーツ用ハンガーの支持具11と同一形状、同一構造の履物載置棚支持具21が着脱自在に取付けられてあり、その前後水平横棒（図示せず）に履物載置棚22の後端部下面を支持させている。
【００３４】
履物収納箱Ａ内の上部における後端部側の両側板A1、A1の対向内側面間に配設した上記ブーツ用ハンガーの支持具11にブーツ用ハンガー１を装着するには、ハンガー主体２を前方側に向け、２本の水平取付杆4a、4aからなる取付部材４を後方に向けた状態にしてハンガー主体２を履物収納箱Ａ内に入れ、その取付部材４を形成している２本の水平取付杆4a、4aの後部下面をブーツ用ハンガーの支持具11における前側水平横棒13上に支持させると共に取付部材４の後端に上方に向かって屈曲、形成している係止突片５を前後水平横棒13、14間の空間部に挿通して後側水平横棒14の下面にその屈曲した上面内隅部を係止させることにより着脱自在に装着している。
【００３５】
このように、ブーツ用ハンガー１をハンガー支持具11に装着すると、ブーツ用ハンガー１は、ハンガー主体２の重量によって取付部材４の後端係止突片５をハンガー支持具11の前側水平横棒13を支点として後側水平横棒14に積極的に当接、係止させた状態に保持することができると共に、取付部材４は２本の水平取付杆4a、4aを並設してなるものであるから、ハンガー主体２は左右に傾動することはなく安定した姿勢を維持することができる。その上、ハンガー支持具11における上記前側水平横棒13を後側水平横棒14よりも上記ハンガー主体２の水平取付杆4aの太さに相当する寸法だけ、下方に段違い状に設けているので、上記のようにこれらの前後水平横棒13、14間に取付部材４の後端部を挿入して係止突片５を後側水平横棒14の下面に係止させると、ハンガー主体２を前方に向かって水平状に支持させることができる。
【００３６】
さらに、ブーツ用ハンガー１における上記取付部材４の水平取付杆4a、4aの後端部上面間にハンガー支持具11における後側水平横棒14の前側周面に摺動自在に当接する振れ止め片６を固着しているので、水平取付杆4a、4aの後端に形成している係止突片５とこの振れ止め片６とによって後側水平横棒14を前後から挟持させて上記支持具11ブーツ用ハンガー１を左右に揺動させることなく、さらには、前後方向に妄動させることなく、ブーツ用ハンガー１を水平状に保持した状態で前後水平横棒13、14に沿って左右方向に円滑に摺動移動させることができる。
【００３７】
上記のようにしてブーツ用ハンガー１を２本一組となるように複数組、ハンガー支持具11の前後水平横棒13、14の長さ方向に並列状態に装着する。このブーツ用ハンガー１にブーツＢを吊支させるには、ブーツＢを逆さに反転した状態にしてハンガー主体２における左右挟持杆2a、2aの前方に向かって開口している開口部３にその筒状胴部B1を挿入し、その胴部下端の足首部をこれらの挟持杆2a、2aによって挟持させると共に足首部に連なる靴部の両側部を挟持杆2a、2a上に係止させる。なお、ブーツ用ハンガー１をハンガー支持具11から取り外して履物収納箱Ａの外部においてこのブーツ用ハンガー１のハンガー主体２にブーツＢを逆さ状態に吊支したのち、ブーツ用ハンガー１をハンガー支持具11を取付けてもよい。
【００３８】
また、ブーツ用ハンガー１は、不使用時には、ハンガー支持具11の前後水平横棒13、14からその取付部材４の後端係止突片５を取り外すことによって履物収納箱Ａから撤去することができると共に、ハンガー支持具11も必要に応じて、履物収納箱Ａの両側板A1、A1から簡単に取り外すことができ、ブーツ用ハンガー１とハンガー支持具11を束ねてコンパクトに保管しておくことができる。
【００３９】
なお、上記実施例においては、ハンガー支持具11における上記前側水平横棒13を後側水平横棒14よりも上記ハンガー主体２の水平取付杆4aの太さに相当する寸法だけ、下方に段違い状に設けておくことにより、これらの前後水平横棒13、14にはブーツ用ハンガー１を水平状態に保持し得るように構成しているが、上記前後水平横棒13、14を段違い状にすることなく同一水平面上で小間隔を存して前後に並設しておく一方、ブーツ用ハンガー１の取付部材４である水平取付杆4a、4aの後端部を下方に向かって水平横棒13、14の太さに相当する高さでもって段状に屈折しておき、この屈折部の下側内隅部を前側水平横棒13上に係止させると共に後端に形成している係止突片５を上記同様に後側水平横棒14の下面に係止させることにより、前後水平横棒13、14にブーツ用ハンガー１を水平状に支持させるように構成しておいてもよい。
【符号の説明】
【００４０】
Ａ  履物収納箱
ａ  ダボ孔
Ｂ  ブーツ
１  ブーツ用ハンガー
２  ハンガー主体
2a、2a  挟持杆
３  開口部
４  取付部材
4a、4a  水平取付杆
５  係止突片
６  振れ止め片
11  ハンガー支持具
12、12' 両側取付板
13  前側水平横棒
14  後側水平横棒
15、16  支持筒体
17、17' 取付孔
18  短軸体
【図１】
2013226228.tif 000003
【図２】
2013226228.tif 000004
【図３】
2013226228.tif 000005
【図４】
2013226228.tif 000006
【図５】
2013226228.tif 000007